【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
ワイヤレス装置（１０２）においてネットワークリストを管理する方法であって、
該方法は、
スキャニング（８０２）を介して該ワイヤレス装置（１０２）によって発見された（８０４）少なくとも一つのネットワークの識別情報に基づいて、地理的領域情報を決定すること（８０４、８０６）と、
該ワイヤレス装置（１０２）に結合されるように動作可能である着脱可能な記憶装置モジュール（ＲＳＭ）（２１４）から、該決定された地理的領域情報に関連するネットワークリストデータエントリをダウンロードすること（８０６）であって、該ネットワークリストデータエントリは、該ワイヤレス装置（１０２）によるネットワーク選択を容易にする、ことと
を包含する、方法。
【請求項２】
前記スキャニング（８０２）が、初期スキャン手順およびバックグラウンドスキャン手順のうちの一つを介して実行される、請求項１に記載のワイヤレス装置（１０２）においてネットワークリストを管理する方法。
【請求項３】
前記ＲＳＭ（２１４）からダウンロードされる前記ネットワークリストデータエントリが、一つ以上のオペレータ選好の無線アクセスネットワーク（ＲＡＮ）、一つ以上のオペレータ選好のコアネットワーク（ＣＮ）、一つ以上のユーザ選好の無線アクセスネットワーク（ＲＡＮ）、一つ以上のユーザ選好のコアネットワーク（ＣＮ）、一つ以上のオペレータ・バーの無線アクセスネットワーク（ＲＡＮ）、一つ以上のオペレータ・バーのコアネットワーク（ＣＮ）、一つ以上のユーザ・バーの無線アクセスネットワーク（ＲＡＮ）および一つ以上のユーザ・バーのコアネットワーク（ＣＮ）から選択された少なくとも一つのネットワークを含む、請求項１または請求項２に記載のワイヤレス装置（１０２）においてネットワークリストを管理する方法。
【請求項４】
前記ＲＳＭ（２１４）からダウンロードされる前記ネットワークリストデータエントリが、ユーザ選好のネットワーク、ユーザ・バーのネットワーク、オペレータ選好のネットワークおよびオペレータ・バーのネットワークのうちの少なくとも一つに関連するＰＬＭＮネットワークＩＤデータを含む、請求項１または請求項２に記載のワイヤレス装置（１０２）においてネットワークリストを管理する方法。
【請求項５】
追加的な地理的領域コードが発見されるかどうかを決定すること（８１０）と、
発見された場合、前記ワイヤレス装置（１０２）による使用のために、前記ＲＳＭ（２１４）から、該追加的な地理的領域コードに個々に対応するネットワークリストをダウンロードすること（８０６）と
をさらに包含する、請求項１、請求項２、請求項３、請求項４のいずれか一項に記載のワイヤレス装置（１０２）においてネットワークリストを管理する方法。
【請求項６】
ワイヤレス装置（１０２）においてネットワークリストを管理するシステムであって、
該システムは、
該ワイヤレス装置（１０２）によって発見された（８０４）少なくとも一つのネットワークの識別情報に基づいて、地理的領域情報を決定する（８０４、８０６）手段と、
該ワイヤレス装置（１０２）に結合されるように動作可能である着脱可能な記憶装置モジュール（ＲＳＭ）（２１４）から、該決定された地理的領域情報に関連するネットワークリストデータエントリをダウンロードする（８０６）手段であって、該ネットワークリストデータエントリは、該ワイヤレス装置（１０２）によるネットワーク選択を容易にする、手段と
を備える、システム。
【請求項７】
前記スキャニング（８０２）が、初期スキャン手順およびバックグラウンドスキャン手順のうちの一つを介して実行される、請求項６に記載のワイヤレス装置（１０２）においてネットワークリストを管理するシステム。
【請求項８】
前記ＲＳＭ（２１４）からダウンロードされる前記ネットワークリストデータエントリが、一つ以上のオペレータ選好の無線アクセスネットワーク（ＲＡＮ）、一つ以上のオペレータ選好のコアネットワーク（ＣＮ）、一つ以上のユーザ選好の無線アクセスネットワーク（ＲＡＮ）、一つ以上のユーザ選好のコアネットワーク（ＣＮ）、一つ以上のオペレータ・バーの無線アクセスネットワーク（ＲＡＮ）、一つ以上のオペレータ・バーのコアネットワーク（ＣＮ）、一つ以上のユーザ・バーの無線アクセスネットワーク（ＲＡＮ）および一つ以上のユーザ・バーのコアネットワーク（ＣＮ）から選択された少なくとも一つのネットワークを含む、請求項６または請求項７に記載のワイヤレス装置（１０２）においてネットワークリストを管理するシステム。
【請求項９】
前記ＲＳＭ（２１４）からダウンロードされる前記ネットワークリストデータエントリが、ユーザ選好のネットワーク、ユーザ・バーのネットワーク、オペレータ選好のネットワークおよびオペレータ・バーのネットワークのうちの少なくとも一つに関連するＰＬＭＮネットワークＩＤデータを含む、請求項６または請求項８に記載のワイヤレス装置（１０２）においてネットワークリストを管理するシステム。
【請求項１０】
追加的な地理的領域コードが発見されるかどうかを決定する（８１０）手段と、
追加的な地理的領域コードが発見されることを決定することに応じて動作可能であり、前記ワイヤレス装置（１０２）による使用のために、前記ＲＳＭから、該追加的な地理的領域コードに個々に対応するネットワークリストをダウンロードする（８０６）手段と
をさらに備える、請求項６、請求項７、請求項８、請求項９のいずれか一項に記載のワイヤレス装置（１０２）においてネットワークリストを管理するシステム。
【請求項１１】
着脱可能な記憶装置モジュール（ＲＳＭ）（２１４）からのネットワークリスト情報のダウンロードをカスタマイズするように動作可能であるワイヤレス装置（１０００）であって、
該ワイヤレス装置（１０００）は、
該ワイヤレス装置（１０００）によって発見された少なくとも一つのネットワークの識別情報に基づいて、地理的領域情報を決定するロジック構造（１０４０）と、
該ＲＳＭ（２１４）から該決定された地理的領域情報に関連するネットワークリストデータエントリのみをフィルタリングするロジック構造（１０３８、１０４５）であって、該ネットワークリストデータエントリは、該ワイヤレス装置（１０００）によるネットワーク選択を容易にする、ロジック構造（１０３８、１０４５）と
を備える、ワイヤレス装置（１０００）。
【請求項１２】
ワイヤレス装置（１０２）においてネットワークリストを管理する方法であって、
該方法は、
該ワイヤレス装置（１０２）に結合されるように動作可能である着脱可能な記憶装置モジュール（ＲＳＭ）（２１４）上に、複数のネットワークリストを用意すること（９０２）と、
該ＲＳＭ（２１４）上に、リスト管理アプリケーションを用意すること（９０４）と、
該ワイヤレス装置（１０２）に関連する地理的領域情報を該ＲＳＭに提供した後、該地理的領域情報に依存して、該リスト管理アプリケーションによって、該ＲＳＭ上の該複数のネットワークリストを修正すること（９０８）と
を包含する、方法。
【請求項１３】
前記複数のネットワークリストを修正すること（９０８）が、前記地理的領域情報によって識別された地理的領域に関連するネットワークリストを保持することを含む、請求項１２に記載のワイヤレス装置（１０２）においてネットワークリストを管理する方法。
【請求項１４】
前記複数のネットワークリストを修正すること（９０８）が、前記地理的領域情報によって識別された地理的領域に関連しないネットワークリストを削除することを含む、請求項１２または請求項１３に記載のワイヤレス装置（１０２）においてネットワークリストを管理する方法。
【請求項１５】
前記地理的領域情報が、前記ワイヤレス装置（１０２）によるスキャニング（９０６）を介して得られたネットワーク識別情報から決定される、請求項１２、請求項１３、請求項１４のいずれか一項に記載のワイヤレス装置（１０２）においてネットワークリストを管理する方法。
【請求項１６】
ワイヤレス装置（１０２）に結合されるように動作可能である着脱可能な記憶装置モジュール（ＲＳＭ）（２１４）であって、
該ＲＳＭ（２１４）は、
該ワイヤレス装置（１０２）にダウンロードされるように動作可能な複数のネットワークリストを有する少なくとも一つのデータベース構造（３００、４００、５００、６００）と、
該ワイヤレス装置（１０２）に関連する地理的領域情報を該ＲＳＭ（２１４）に提供することに応答して該複数のネットワークリストを修正する（９０８）ように動作可能であるリスト管理アプリケーションと
を備える、ＲＳＭ（２１４）。
【請求項１７】
前記リスト管理アプリケーションが、前記地理的領域情報によって識別される地理的領域に関連するネットワークリストを保持するように動作可能である、請求項１６に記載のワイヤレス装置（１０２）に結合されるように動作可能であるＲＳＭ（２１４）。
【請求項１８】
前記リスト管理アプリケーションが、前記地理的領域情報によって識別される地理的領域に関連しないネットワークリストを削除するように動作可能である、請求項１６に記載のワイヤレス装置（１０２）に結合されるように動作可能であるＲＳＭ（２１４）。